(57)【要約】      （修正有）【課題】内照式道路標識に用いられている蛍光灯光源をＬＥＤ光源に切り換えることができる内照式道路標識用の付け替え光源ユニットを提供する。【解決手段】ＬＥＤモジュールを配設しても適度の平面剛性を保てることを考慮した板に、蛍光灯内照式道路標識に備わっている蛍光管を三点留めする係止フックの先を差し込める角穴５を最低三つ穿設すると共に、前記板の片面又は両面に適宜個のＬＥＤモジュール６を配設した。【選択図】図３
0003196515.tif 000002
【実用新案登録請求の範囲】
【請求項１】
ＬＥＤモジュールを配設しても適度の平面剛性を保てることを考慮した板に、蛍光灯内照式道路標識に備わっている蛍光管を三点留めする係止フックの先を差し込める小穴を最低三つ穿設すると共に、前記板の片面又は両面に適宜個のＬＥＤモジュールを配設したことを特徴とする内照式道路標識用の付け替え光源ユニット。
【考案の詳細な説明】
【技術分野】
【０００１】  本考案は内照式道路標識に用いられている蛍光灯光源をＬＥＤ光源に切り換えることができる内照式道路標識用の付け替え光源ユニットに関する。
【背景技術】
【０００２】  従来、内照式道路標識は内部にある蛍光灯で光らせている。
【考案の概要】
【考案が解決しようとする課題】
【０００３】  ＬＥＤ光源の普及により光の革命が起き、電球型文明からＬＥＤ光源文明に移行しようとしている。従来型の内照式道路標識をＬＥＤ光源の内照式道路標識に改修することは撤去と新設という多大な経費を必要とする。既設の内照式道路標識をそのまま活かして、エコで省エネのリサイクルを実現しようとするものである。
【課題を解決するための手段】
【０００４】  そこで、ＬＥＤモジュールを配設しても適度の平面剛性を保てることを考慮した板に、蛍光灯内照式道路標識に備わっている蛍光管を三点留めする係止フックの先を差し込める小穴を最低三つ穿設すると共に、前記板の片面又は両面に適宜個のＬＥＤモジュールを配設したことを特徴とする内照式道路標識用の付け替え光源ユニットを提供しようとするものである。
【考案の効果】
【０００５】  従来からの蛍光灯内照式道路標識に必然的に備わっている蛍光管係止フックで、付け替え光源ユニットを支持することができる。蛍光管を本考案による光源ユニットに交換するだけの手間で従来型蛍光灯光源からＬＥＤ光源に切り換えることができる。そのため作業時間も手間も大きく省くことが可能になった。又、撤去と新設に係るダブルの経費が不要となる。
新規に本考案の光源ユニットを取り付けるように設計した内照式道路標識も提供できる。
【図面の簡単な説明】
【０００６】
【図１】原理を示す斜視図である。
【図２】原理を示す斜視図である。
【図３】付け替え光源ユニットの実施例を示す斜視図である。
【図４】本考案を実施した内照式道路標識の中身を示した斜視図である。
【図５】本考案を実施した内照式道路標識の斜視図である。
【考案を実施するための形態】
【０００７】  ＬＥＤモジュールを配設しても適度の平面剛性を保てることや光の内部反射、経済性を考慮したパネルを選定する。大量に流通しているアルミ複合板を一例に挙げることができる。パネルは従来型内照式道路標識の内部に収まる範囲の大きさと形とする。当該パネルの中央付近に描ける同心円周上に三つの角穴を穿設する。当該角穴の大きさは、従来型内照式道路標識に備わっている蛍光管係止フックの先が通って係止の役目を果たせる程度とする。パネルの片面又は両面にＬＥＤモジュールを配設する。
尚、既述した角穴については三つに限定するものではなく、蛍光管係止フックを活用できるのであれば三つ以上あっても良い。多数個あれば現場都合によってフックを掛ける位置を選択可能になって応用範囲が広がる。又、角穴に代わる突起物であってもフックが引っ掛かる手段であれば、本考案の原理を利用できる。
【実施例】
【０００８】  以下、添付図面に従って本考案の一実施例を説明する。
図１は本考案の創作に至った原理を示す斜視図であって、１は蛍光管、２は蛍光管係止フック、２´は張力装置付き蛍光管係止フック、３は先端、４はパネルであり五角形の従来型内照式道路標識に使用する。５が角穴である。この角穴に蛍光管係止フック２と２´の先端が入りパネル４をフックする。
従来型内照式道路標識は二本の蛍光管係止フック２と一本の張力装置付き蛍光管係止フック２´を内部に備えている。張力装置付き蛍光管係止フック２´はスプリングの力を発揮する張力装置が付いており、張力装置付き蛍光管係止フック２´が発生させる張力と蛍光管係止フック２が発生させる反力とで蛍光管１を保持していた。本考案ではその蛍光管に１に替えてパネル４を保持する。
本考案の着眼点は従来保持される蛍光管をパネルに替えて課題を解決しようとするものである。パネル４は間接光の反射板になるし、ＬＥＤモジュールの基台になる。規格統一された道路標識の寸法に適合するパネルにＬＥＤモジュールを配設した光源ユニットを大量に生産すれば、従来型内照式道路標識を一挙にＬＥＤ光源の内照式道路標識に切り換えることができる。【０００９】  図２は本考案の創作に至った原理を示す斜視図であって、丸形の従来型内照式道路標識を例にした図である。１乃至３は図１の説明と同じである。４´はパネルであり丸形の従来型内照式道路標識に使用する。５が角穴である。この角穴に蛍光管係止フック２と２´の先端３が入りパネル４をフックする。その作用は図１の説明と同じである。【００１０】  図３は付け替え光源ユニットの実施例を示す斜視図である。９と９´は光源ユニットであり、９は五角形の内照式道路標識に、又、９´は丸形の内照式道路標識にそれぞれ使用する。
光源ユニット９と９´のパネル４と４´はＬＥＤモジュール６の基台となり、当該基台に複数個のＬＥＤモジュール６を配設する。ＬＥＤモジュール６は配線７で繋がり、配線７の一方の端は電源へ繋がる。５が角穴である。この角穴に蛍光管係止フック２と２´の先端３が入りパネル４をフックすることとなる。
パネル４の裏表両面にＬＥＤモジュール６を配設しても良い。この場合、内照式道路標識は両面発光となる。【００１１】  図４は本考案を実施した内照式道路標識の中身を示した斜視図である。８が五角形の内照式道路標識のフレームであり、当該フレームに固着する蛍光管係止フック２と２´の先端３が、パネル４の角穴５に入りフックしている様子が見て取れる。パネル４に取り付けられたＬＥＤモジュール６が発光して、前記フレームにセットされる標識を灯すことになる。【００１２】  図５は本考案を実施した内照式道路標識の斜視図である。８´が丸形の内照式道路標識であり、当該標識内部に設置されている蛍光管係止フック２と２´の先端３が、パネル４´の角穴５に入りフックしている様子が見て取れる。パネル４´に取り付けられたＬＥＤモジュール６が発光して、前記フレームに取り付く標識を灯すことになる。【００１３】  １    蛍光管
２    蛍光管係止フック
２´  張力装置付き蛍光管係止フック
３    先端
４    パネル
４´  パネル
５    角穴
６    ＬＥＤモジュール
７    配線
８    五角形の内照式道路標識のフレーム
８´  丸形の内照式道路標識
【図１】
0003196515.tif 000003
【図２】
0003196515.tif 000004
【図３】
0003196515.tif 000005
【図４】
0003196515.tif 000006
【図５】
0003196515.tif 000007